Podtech/llm-jp-corpus-v4-ja_patent huggingface dataset:
(57)【要約】      （修正有）【課題】道路におかれている一般家庭用のゴミを有害な鳥類、動物等によりゴミ食い荒らしを防止するための、折畳み式ゴミ収集用底無し容器の提供。【解決手段】容器の周囲側面にはネット（網）１、に縦枠７と横枠８及び斜めクロス枠９が支持柱となり一定の間隔で網目に通し、正方形又は長方形の容器となり支持柱がネット網目に通す事によって縦、横支持柱及び斜めクロス支持柱の転倒防止となり又支持柱の脱落防止にもなる、容器を使用されない時は四つ折のコンパクトな形状となる。【選択図】図１
0003112173.tif 000002
【実用新案登録請求の範囲】
【請求項１】
本考案は道路におかれている、一般家庭用のゴミを有害な鳥類、動物等によりゴミ食い荒らしを防止するためネット（網）型の折畳み式ゴミ収集用容器。
【請求項２】
形状は正方形又は長方形の容器であって、周囲側面はネット（網）で構成され外枠は金属又はプラスチック等で支持柱として補強されている、折畳み式ゴミ収集用容器。
【請求項３】
容器は使用しない時は四つ折に畳んだ状態となり、最小の形となりネット（網）型の底の無い折畳み式ゴミ収集用容器。
【考案の詳細な説明】
【技術分野】
【０００１】本考案の容器は有害な鳥類、動物等によりゴミ食い荒らしを防止するための折畳み式容器。
［背景技術］【０００２】従来の方法は道路隅に固定式の設置で金網箱等が使用され、底のある形状になっている。【０００３】［特許文献１］
特開平７−２９１４０１号公報
［考案の開示］
［考案が解決しようとする課題］【０００４】固定式の場合ゴミ収集を行われない日は道路通行に障害となる。【０００５】ゴミ収集日でない日でもゴミを投入して悪臭を発生させる。
［課題を解決するための手段］【０００６】形状は正方形又は長方形の容器であって周囲側面はネット（網）で構成され、外枠は金属又はプラスチック等で支持柱として補強されている。
［考案の効果］【０００７】容器の底面部は底無しのためコンパクトに折り畳む事が出来る又運搬及び設置作業は簡単である。
［考案を実施するための最良の形態］【０００８】以下、本考案の実施の形態を図面に基づき詳細に説明する。【０００９】周囲側面はネットの網に縦支持柱７、と横支持柱８及び斜めクロス支持柱９が支持柱となり一定の間隔で網目に通し正方形又は長方形及び多角形の容器となり支持柱がネット網目に通す事によって縦枠、横枠の転倒防止又は支持柱の脱落防止になる。
［実施例］【００１０】大型容器はネット網目に斜めクロス支持柱９を入れる事によって容器の側面部が安定的になる。【００１１】上部上蓋は１枚式又は左右２枚式と任意に取付け交換ができる構造になっている。【００１２】図３は容器を二つ折に畳んだ時の形状となり、図４は容器を四つ折に畳んだ時の形状となる。【００１３】図６小型容器の場合は斜めクロス支持柱９は不要となる。
［産業上の利用可能性］【００１４】本考案は有害な鳥類、動物等によりゴミの食い荒らしを防止するためのネット網型容器である。
【図面の簡単な説明】
【００１５】［図１］
上部上蓋が全開した時の斜視図
［図２］
上蓋が全開し上部面部から見た時の平面図
［図３］
容器を二つ折に畳んだ時の斜視図
［図４］
容器を四つ折に畳んだ時の斜視図
［図５］
容器周囲のネット網目に縦、横支持柱が組み込んである平面図
［図６］
周囲側面部の斜めクロス支持柱９を取り除いた時の小型容器斜視図
【符号の説明】
【００１６】１        ネット（網）
２        前面部
３        左面部
４        右面部
５        背面部
６        上蓋
７        縦支持柱
８        横支持柱
９        斜めクロス支持柱
１０      継ぎ手
【図１】
0003112173.tif 000003
【図２】
0003112173.tif 000004
【図３】
0003112173.tif 000005
【図４】
0003112173.tif 000006
【図５】
0003112173.tif 000007
【図６】
0003112173.tif 000008
(57)【要約】      （修正有）【課題】水の量を増し汚れを少なくし、外部から水の状態を目視でき、花瓶を安定して設置でき且つ花を直立させてきれいに飾ることのできる仏壇用花立てを提供することである。【解決手段】皿５上に配置する、中間部に内側に向けた窪み６を設ける透明な容器２内に、開口部が喇叭状に拡大し底に空隙を形成する花瓶１を収納すると共に、花瓶内に複数の直管３を立てて使用する花立てとするものである。【選択図】図１
0003112171.tif 000002
【実用新案登録請求の範囲】
【請求項１】
底部に多数の空隙を有し、内部に、花を立てるための複数の筒体である直管を収納する喇叭状の花瓶を、皿上に設ける前記花瓶の筒体部の外径或いは最外辺より僅かに大き目な内径或いは内辺の長さの窪みを設け、光に対して透明な素材で形成する容器内に、前記花瓶の喇叭状部が該容器の上方開口周辺面に接して係止するように収納して成る仏壇用花立て。
【考案の詳細な説明】
【技術分野】
【０００１】  本考案は、仏壇用の花立てに関するものである。
【背景技術】
【０００２】  従来の、仏壇に飾る花立ては、外観が多少意匠化されている花瓶単体であり、台上に接する面積が花瓶の高さに比して小さく小型に形成されているものが殆どである。
【考案の開示】
【考案が解決しようとする課題】
【０００３】  一般の家庭で使用されている、前述の現用花瓶にあっては、仏壇に会わせた小型のものであり、容積が小さいために中に入れる水の量が少なく花が直ぐに枯れてしまう或いは水の汚れも短時間で生じ、又、形状が細長いもので、花の茎部分を充分に保持できず、花の本数が少ない場合には真っ直ぐ立たないために直ぐに倒れてしまう等の問題がある。
本考案は、上記問題を解決できる仏壇用花立てを提供することを課題とするものである。
【課題を解決するための手段】
【０００４】  花を立てる筒体としての複数の直管を内部に着脱自在に収容する、底部に多数の空隙を設け上方開口部が喇叭状に拡大している花瓶を、該花瓶の直筒部の外径或いは最外辺長さより僅かに大き目の内径或いは内辺長さで窪みを形成して該花瓶の横振れを制限し、花瓶の前記喇叭部の裏周辺面が開口周辺上面に接して係止出来るように下方に空間部を生じさせて内蔵する、皿上に設ける、光に対して透明な素材で形成する容器で成る仏壇用の花立てとして課題を解決するものである。
【考案の効果】
【０００５】  本考案は上記構成により、課題とした、透明な容器内の水の量を増して花が長持ちし水の汚れを外部から目視で確認できると共に、直管内に直立して花を立てることが出来、容器内に花瓶を納めることで花瓶を安定させ、更に容器を皿上に配置することに依り倒れ難いものとすることが出来る固有の効果を有するものである。
【考案を実施するための最良の形態】
【０００６】  以下、本考案の実施の形態について図面に示す実施例に従って説明する。
図１乃至図４に示す実施例において、喇叭状に広がる上方開口部を有し下方開口部に金網４を設けて多数の空隙を有する底部を形成する円形の花瓶１の中に、３本の直管３を納め、花瓶１の筒状部の外径より僅かに大きい内径で全周に亘って縊れている窪み６を中間より低位に形成する光に対して透明なガラス等の素材でなる上面が開口する容器２内に、花瓶１の喇叭状部の外周下面が容器２の上面開口部の円周辺面に接して落下しないように係止させて収納し、容器２を皿５の上に粘着シート等で固定配置して仏壇用の花立てとするものである。【０００７】  容器２内に水を入れ、直管３に花を差して使用するものであり、この場合、花瓶１の底部が金網４で水が自由に通過でき、且つ容器２の底から花瓶１の底部の金網４までの間に充分な空間があるので直管３内にも充分に水を満たすことができるので花を立てるという通常の花瓶と機能上異なるものでなく使用出来ることになる。容器２内に水を入れるので花瓶１にのみ水を満たすより大量の水を利用できることになる。直管３の数を３本に限定するものではない。【０００８】  図の実施例においては、金網４を底部が開口している花瓶１に設けて水の流通部を形成しているものを示してあるが、図示はしないが、金網４で花瓶１の底を形成する以外に、花瓶１と一体化されている底に多数の小孔を施して空隙を設けること等の選択は設計上の変更となるものであり、その選択は自由である。更に容器２の実施例として円形のものを示してあるが、製作上最も容易なものとして示してあるもので、この形状に限るものでは無く、中間より低位な個所に窪み６を全周囲ではなく部分的に施すこと等も設計上の問題となるものである。要するに、花瓶１の筒状部の外周辺長さより僅かに大きな長さで内周辺の窪み６を設けて花瓶１の揺れを止めることが出来ることが本考案のこの部分に関する趣旨である。また、容器２の素材に関してもガラス以外に光に対して透明な素材であればプラスチック等の使用も自由である。
【産業上の利用可能性】
【０００９】  容器２の素材としてガラスを用い、花瓶１を不透明な且つ錆難い青銅等の金属で形成し、直管３に銅管等を用い、それらを円形で形成することが仏壇用の意匠性をも兼ね備えた花立てとして実施することが最も実施可能性の高いものと成る。
【図面の簡単な説明】
【００１０】
【図１】  本考案の一実施例の全体を示す部分断面を含む斜視図である。
【図２】  同上面図である。
【図３】  図２におけるＡＡ′断面図である。
【図４】  図１の分解図である。
【符号の説明】
【００１１】１    花瓶
２    容器
３    直管
４    金網
５    皿
６    窪み
【図１】
0003112171.tif 000003
【図２】
0003112171.tif 000004
【図３】
0003112171.tif 000005
【図４】
0003112171.tif 000006
(57)【要約】      （修正有）【課題】水耕栽培を電気を使わないで、大気の原理を使った水耕栽培鉢の提供。【解決手段】容器１と、その中に、容器の底部との間に隙間を設けて入れた第１ネット容器２と、その上に第１ネット容器との間に隙間を設けて入れた第２ネット容器３と、第２ネット容器に入れた通気性のある中性土壌４と、容器の中に中性土壌に達する水位まで入れた液肥５とにより構成した水耕栽培鉢。【選択図】図１
0003112926.tif 000002
【実用新案登録請求の範囲】
【請求項１】
容器と、その中に、容器の底部との間に隙間を設けて入れた第１ネット容器と、その上に第１ネット容器との間に隙間を設けて入れた第２ネット容器と、第２ネット容器に入れた通気性のある中性土壌と、容器の中に中性土壌に達する水位まで入れた液肥とにより構成した水耕栽培鉢。
【請求項２】
前記、第１ネット容器の目の大きさは５ミリであり、第２ネット容器の目は１ミリである、請求項１記載の水耕栽培鉢。
【請求項３】
前記、中性土壌は、バーミキュライトである、請求項１記載の水耕栽培鉢。
【考案の詳細な説明】
【技術分野】
【０００１】本考案は、水耕栽培などの栽培方法に関するが、詳しくは無電源で容器とネット容器を二重に使う事によって、大気と中性土壌及び培養液の特性と効用を利用し植物の根に十分な空気の供給と植物の栄養素の供給をする水耕栽培鉢に関するものである。
【背景技術】
【０００２】従来から多く使用されている水耕栽培装置は、図３に図示されているような装置が多かった、すなわち栽培層と液層、液層から栽培層へ液を送り込むポンプとパイプ、液層からオバーブローで戻すパイプ、それに空気を送るエアーポンプとパイプ、とで構成され液肥の濾過装置も必要としていた。電気を使うために電源のあるところでの使用に限られた。又、栽培層と液層から構成されるために移動も制限され故障の問題もあった。
【考案の開示】
【考案が解決しようとする課題】
【０００３】かかる従来からの水耕栽培装置を改良することが本考案の課題である。
【課題が解決するための手段】
【０００４】本考案の水耕栽培鉢は、上記の如き問題を解決するために開発したものであって、従来の水耕栽培装置の液肥の循環と空気の供給を、中性土壌の性質を利用してネット容器を使う事によって、空気の供給を自然の大気の原理を十分利用する構成にしたものである。すなわち、容器と、その中に、容器の底部との間に隙間を設けて入れた第１ネット容器と、その上に第１ネット容器との間に隙間を設けて入れた第２ネット容器に入れた通気性のある中性土壌と、容器の中に中性土壌に達する水位まで入れた液肥とにより構成したものである。
【考案の効果】
【０００５】水耕栽培鉢のネット層部分を持ち上げ分離しえる事によって、根の生長過程で根の体積が増しても容易にネット層の上昇を容易にして根の丈夫さをました。又、栽培鉢の容器部分の清掃も簡易に出来る事により液肥の腐敗もなくなる。又、小型軽量に出来るため、移動も容易で植物にとって、環境の良いところに置くことが出来る。
【０００６】従来の水耕栽培装置は栽培層に液肥と酸素の供給に電力でポンプを使っているが、本考案は大気という自然な原理のため、装置のメンテナンスは非常に楽である。電気部品がないために、故障もなく、コストが安くすむ。
【０００７】この水耕栽培鉢を使えば、外国の荒れた土地でも、容器の中の栽培なので、地中に吸い込まれることなく、無駄な水を使わず、野菜に必要な分だけの水で栽培できる。
【０００８】外国駐在の人が入手困難な生鮮野菜を自分で栽培し、収穫でき、何時でも新鮮な好きな野菜を収穫出来る
【０００９】遠洋航海などで、新鮮な野菜の供給が困難な時でも、光の供給を受ける事が出来れば船内の狭い所でも栽培できる。
【００１０】災害等で、土壌が汚染されたところでも、本考案の水耕栽培鉢を使えば、水耕栽培特有の早い育成で野菜が収穫できる。
【００１１】装置が小さく出来るため一株単位での栽培も可能となり家庭に育成途中で必要な株数を根から葉まで、供給し残りの期間、家庭栽培で育成し、収穫の楽しみが出来る。
【００１２】水耕栽培鉢は少量の中性土壌で済むために、鉢の高さが従来の鉢と比べ高さが４分の１以下にも抑えられる。その為、多段式棚を使用でき、使用面積も小さくて済む。それに、形状や大きさも自由に出来、本格的に大量に栽培収穫を目的とする場合、従来のサイホン原理等を利用する事により、液肥の供給は無駄なくできる。山間部の山の斜面でも、棚田式に本考案の装置を使えば、野菜の水耕栽培はできる。又、ビルの屋上庭園にも、本考案の装置を使うことにより１センチ厚さの土壌と少量の水分で済む為に建物に負担が軽く、夏場の冷房による、エネルギーの消費節減にも貢献でき。又、野菜の収穫も得ることが出来る。
【考案を実施するための最良の形態】
【００１３】本考案の実施形態は、容器の中にネット容器を二重に置き、その上に中性土壌を１センチ厚さに位に収容し、その下の容器とネット容器の隙間に液肥を入れ、他で人工培地で成育した苗を中性土壌の上に、苗と培地と共に設置するものとする。【００１４】また、本考案の実施形態は、前記人工土壌の上に設置した苗が倒れやすい時は、培地の周りに倒れ防止筒を立ち上げるように設置し、これによって、弱い苗の発育率が向上する。
【実施例】
【００１５】以下、図面に従って本考案の実施例について説明する。図１は、本考案の水耕栽培鉢の容器の中の配置を示したものであり、図２は、水耕栽培鉢の使用例である。容器１と、その内側に第１ネット容器２、とその内側の第２ネット容器３と、の底部に収容した中性土壌層４と、容器１の底部に入れた培養液５と、により構成し、葉物野菜苗を他で人工培地ブロックで育苗した苗と培地を共に中性土壌層４、の上に設置し、その周囲に倒れ防止筒６、を立ち上げるようにした。容器１の横に立ち上がり部に中性土壌層中間にオバーブロー用の穴８を開け、液肥の過剰水位にならないようにする。【００１６】まず、本考案の水耕栽培鉢は、図１及び図２に図示されているように、容器１と第１ネット容器が簡単に分離できることである。他で人工培地ブロックで育苗した苗をブロックと共に中性土壌層の上に設置した時に、倒れ防止用の筒を設置し、筒との隙間に中性土壌を培地と同じ高さまで詰める事により、筒の安定化、苗と倒れ防止筒の安定にもなる。本考案の水耕栽培鉢に移植された苗は、生長するに従って根がのび、第１ネット容器と第２容器の目を突き破り培養液層にはいる。培養液から栄養分、中性土壌層から栄養分と空気とが十分供給され生長する。そして、水耕栽培特有の早い生長の恩恵を受けられる。【００１７】また、上記のように倒れ防止筒を使う方法と、倒れ防止用筒を使わない方法も、ある。腰の弱い倒れやすい苗に使えば育成率は非常に良くなる。
【図面の簡単な説明】
【図１】  水耕栽培鉢の断面図
【図２】  水耕栽培鉢の他の使用状態を示した断面図
【図３】  従来の水耕栽培鉢を示した構成図
【符号の説明】
１  容器
２  第１ネット容器
３  第２ネット容器
４  中性土壌層
５  培養液
６  人工土壌ブロック
７  倒れ防止筒
８  水位調整穴
【図１】
0003112926.tif 000003
【図２】
0003112926.tif 000004
【図３】
0003112926.tif 000005
(57)【要約】      （修正有）【課題】おむつ・おしりふき容器収納具の設置により部屋の美観を損ねる不都合の解消と、その収納具がおむつ使用期間以外は無駄になってしまうことの不都合の解消。【解決手段】取り外し可能な中わた８を備えたため、おむつ使用期間以外はクッションカバーとしても使用でき、クッション型をしているため部屋に設置しても美観を損ねない、クッション型おむつ・おしりふき容器収納具１０。１は、おしりふき容器収納部、２は、おむつ収納部、４は、ふた、６は、おむつ出し入れ口、７は、ファスナー部、８は、中わた、１０は、クッション型おむつ・おしりふき容器収納具、Ｏは、おむつ、Ｙは、おしりふき容器である。【選択図】図３
0003112928.tif 000002
【実用新案登録請求の範囲】
【請求項１】
おしりふき容器収納部内に，おしりふき容器の位置を安定させるための取り外し可能な中わたを備えた、クッションカバーとしても使用できる、クッション型のおむつ・おしりふき容器収納具。
【考案の詳細な説明】
【技術分野】
【０００１】本考案は、クッション型のおむつ・おしりふき容器収納具に関する。
【背景技術】
【０００２】従来、おむつ・おしりふき容器は、収納家具やウォールポケット等の収納具に収納されてきた。
【考案の開示】
【考案が解決しようとする課題】
【０００３】しかし、これらの収納具は、部屋の中でも手の届きやすい、従って目立つ場所に設置されがちである。これは、使用頻度の高いおむつ・おしりふき容器の出し入れを容易にするためであるが、目立つ場所におむつ・おしりふき容器収納具を設置することで、部屋のインテリアの統一感を欠き、美観を損ねる問題が生じる。また、それらの収納具を設置するための空間の確保、おむつ使用期間以外にはそれらが不要になり、無駄になってしまうことが問題である。
【課題を解決するための手段】
【０００４】そこで、クッション型のおむつ・おしりふき容器収納具を考案した。本考案のクッション型おむつ・おしりふき容器収納具は、取り外し可能な中わたを備えており、中わたを着けた状態ではおむつ・おしりふき容器収納具として、外した状態では通常のクッションカバーとして使用できる。
【考案の効果】
【０００５】本考案のおむつ・おしりふき容器収納具はクッション型であるため、部屋の中の目立つ場所に設置しても、部屋のインテリアの統一感を欠き、美観を損ねる問題がない。また、ソファや床等に置いておくことができるため、設置のための空間の確保が容易である。且つおむつ使用期間以外はクッションカバーとして使用できるため、無駄にならない。加えて、おしりふき容器を収納したままおしりふき用紙引き出して使える構造のため、使用の度におしりふき容器を収納具から出し入れする必要がなく、便利である。
【考案を実施するための最良の形態】
【０００６】本考案に係るクッション型おむつ・おしりふき容器収納具１０は、図１に示すようにクッション型をしており、おしりふき容器収納部１と、おむつ収納部２を備えている。おしりふき容器収納部１の上面には、おしりふき用紙Ｐ引き出し口としてマド３と、それを覆うふた４を備える。図２に示すように、ふた４は閉じた状態でマド３を完全に覆い隠せる大きさにし、マジックテープ部５でおむつ収納部２の上面に接着される。【０００７】また図３に示すように、おむつ収納部２は二カ所あり、どちらもポケット状になっており、おむつ出し入れ口６からおむつＯを出し入れする。おしりふき容器収納部１の側面にはファスナー部７を備え、そこからおしりふき容器Ｙを出し入れする。おしりふき容器収納部１の内部には、収納されたおしりふき容器Ｙの位置を安定させるために、コの字型に縫製した布地にわたを詰めて形成した中わた８を取り付ける。中わた８の取り付け位置は図４に示す通りであり、取り外し可能にするためにマジックテープ部９で接着する。【０００８】クッション型おむつ・おしりふき容器収納具１０の素材は、おしりふき容器を収納した状態での感触の硬さをやわらげ、クッション性をもたせるため、わた入りのキルティング生地で形成されることが望ましい。
【図面の簡単な説明】
【０００９】
【図１】本考案に係るクッション型おむつ・おしりふき容器収納具の、ふたを開けた状態の図である。
【図２】本考案に係るクッション型おむつ・おしりふき容器収納具の、ふたを閉じた状態の図である。
【図３】本考案に係るクッション型おむつ・おしりふき容器収納具の断面図である。
【図４】おしりふき容器収納部の断面図である。
【符号の説明】
【００１０】  １．おしりふき容器収納部
２．おむつ収納部
３．マド
４．ふた
５．マジックテープ部
６．おむつ出し入れ口
７．ファスナー部
８．中わた
９．マジックテープ部
１０．クッション型おむつ・おしりふき容器収納具
Ｐ．おしりふき用紙
Ｏ．おむつ
Ｙ．おしりふき容器
【図１】
0003112928.tif 000003
【図２】
0003112928.tif 000004
【図３】
0003112928.tif 000005
【図４】
0003112928.tif 000006
(57)【要約】      （修正有）【課題】開いた状態で安全柵を位置決めることができる安全柵の柵位置決め装置を提供する。【解決手段】柵２１が枢設されるフレームに回転可能な位置決めフック１０が設けられ、該位置決めフックの自由端に位置決め部１１が設けられることを特徴とする。【選択図】図１
0003112999.tif 000002
【実用新案登録請求の範囲】
【請求項１】
柵が枢設されるフレームに回転可能な位置決めフックが設けられ、該位置決めフックの自由端に位置決め部が設けられることを特徴とする、
安全柵の柵位置決め装置。
【請求項２】
前記位置決めフックがフレームの両側に設けられることを特徴とする、請求項１に記載の安全柵の柵位置決め装置。
【請求項３】
前記フレームに対応する位置決めフックの内側に位置決めブロックが設けられ、フレームの側面に該位置決めブロックを係合するための位置決め孔が形成されることを特徴とする、請求項１又は２に記載の安全柵の柵位置決め装置。
【考案の詳細な説明】
【技術分野】
【０００１】
本考案は、特に開いた状態で安全柵を位置決めることができる安全柵の柵位置決め装置に関するものである。
【背景技術】
【０００２】
従来の安全柵は、家の出入口や階段の前に設けることにより、幼児又はペットが人の視角から離れて怪我をすることを防止できる。
【０００３】
従来の安全柵は、例えば台湾実用新案公告第４７２８２３号「安全柵の改良構造」や、台湾実用新案公告第５１６５８１号「安全柵」に記載されるように、柵を開けた後、直ちに閉まるのが一般的である。
【０００４】
前記従来の安全柵は、フレームと、該フレームに枢設されると共に、弾性部材によって元の状態に回復する柵とを有することにより、柵を開けた後、直ちに元の閉った状態に戻ることができる。
【考案の開示】
【考案が解決しようとする課題】
【０００５】
しかしながら、幼児やペットがいない時に、家の出入口又は階段を通過する場合には、使用者は該安全柵をその都度開ける必要があるので、非常に不便である。又、重い物によって柵を開いた状態に位置決めても、該重い物は通路に置いたままであるので、非常に邪魔である。
【０００６】
そこで、案出されたのが本考案であって、開いた状態で安全柵を位置決めることができる安全柵の柵位置決め装置を提供することを目的としている。
【課題を解決するための手段】
【０００７】
本願の第１考案は、柵が枢設されるフレームに回転可能な位置決めフックが設けられ、該位置決めフックの自由端に位置決め部が設けられることを特徴とする安全柵の柵位置決め装置を提供する。
【０００８】
本願の第２考案は、前記位置決めフックがフレームの両側に設けられることを特徴とする本願の第１考案に記載の安全柵の柵位置決め装置を提供する。
【０００９】
本願の第３考案は、前記フレームに対応する位置決めフックの内側に位置決めブロックが設けられ、フレームの側面に該位置決めブロックを係合するための位置決め孔が形成されることを特徴とする本願の第１考案又は第２考案に記載の安全柵の柵位置決め装置を提供する。
【考案の効果】
【００１０】
本考案は上記の課題を解決するものであり、柵が枢設されるフレームに該柵を位置決める位置決めフックが枢設されることにより、柵を開いた状態に維持することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１２】
図１は本考案に係る安全柵の柵位置決め装置の使用状態を示す斜視図であり、図２は本考案に係る安全柵の柵位置決め装置の使用状態を示す分解斜視図であり、図３は本考案に係る安全柵の柵位置決め装置を閉めた安全柵に使用する状態を示す平面図であり、図４は本考案に係る安全柵の柵位置決め装置を開けた安全柵に使用する状態を示す斜視図であり、図５は本考案に係る安全柵の柵位置決め装置を開けた安全柵に使用する状態を示す平面図であり、図６は本考案に係る安全柵の柵位置決め装置を開けた他の安全柵に使用する状態を示す斜視図である。
【００１３】
又、位置決めフック（１０）とフレーム（２０）との位置決め効果を向上するため、該フレーム（２０）に対応する位置決めフック（１０）の内側に位置決めブロック（１２）が設けられ、フレーム（２０）の両側に該位置決めブロック（１２）を係合するための位置決め孔（２２）が形成される。
【００１４】
図４及び図５に示すように、幼児やペットがいない場合、前記柵（２１）を開けた後、該位置決めフック（１０）の位置決め部（１１）が柵（２１）の下部に係止することにより、該柵（２１）を開いた状態に維持することができる。又、フレーム（２０）の両側に位置決めフック（１０）が設けられるので、柵（２１）をフレーム（２０）の内側又は外側へ開けても、該位置決めフック（１０）によって柵（２１）を開いた状態に維持することができる。
【００１５】
又、幼児やペットがいる場合、該位置決めフック（１０）を位置決めブロック（１２）とフレーム（２０）の位置決め孔（２２）と係合することにより、柵（２１）が自動的に閉める機能に戻る。
【００１６】
又、図４に示すように、柵（２１）の幅が位置決めフック（１０）の長さより長い場合、該柵（２１）に位置決めフック（１０）の位置決め部（１２）に対応する係合孔（２３）が形成されることにより、上記の実施の形態と同様な効果を達成できる。
【００１７】
本考案は上記の構成を有するので、柵が枢設されるフレームに該柵を位置決める位置決めフックが枢設されることにより、柵を開いた状態に維持することができる。
【図面の簡単な説明】
【００１８】
【図１】本考案に係る安全柵の柵位置決め装置の使用状態を示す斜視図である。
【図２】本考案に係る安全柵の柵位置決め装置の使用状態を示す分解斜視図である。
【図３】本考案に係る安全柵の柵位置決め装置を閉めた安全柵に使用する状態を示す平面図である。
【図４】本考案に係る安全柵の柵位置決め装置を開けた安全柵に使用する状態を示す斜視図である。
【図５】本考案に係る安全柵の柵位置決め装置を開けた安全柵に使用する状態を示す平面図である。
【図６】本考案に係る安全柵の柵位置決め装置を開けた他の安全柵に使用する状態を示す斜視図である。
【符号の説明】
【００１９】
１０        位置決めフック
１１        位置決め部
１２        位置決めブロック
２０        フレーム
２１        柵
２２        位置決め孔
２３        係合孔
【図１】
0003112999.tif 000003
【図２】
0003112999.tif 000004
【図３】
0003112999.tif 000005
【図４】
0003112999.tif 000006
【図５】
0003112999.tif 000007
【図６】
0003112999.tif 000008
(57)【要約】      （修正有）【課題】格闘技の試合・練習時に、タックルや打撃攻撃等で相手に踏み込む際、自分の足の裏が滑って体勢を崩したり、攻撃を失敗してしまう事がないよう、足裏に滑り止めを付けた事を特徴とする足サポーターを提供する。【解決手段】伸縮性のある繊維素材のサポーター本体の足裏部に滑りにくい素材からなる滑り止め部材１を付設する。足指部２を１本ずつ指を通して履く形状にするため、格闘技の激しい動きにも滑り止め部材１が捲れてしまう事はない。これにより格闘技の試合・練習時に着用する事で、タックル・打撃攻撃で相手に踏み込む際の足裏の滑りを防ぎ、足元の滑りを気にすることなく十分なパフォーマンスを展開する事が出来る。【選択図】図１
0003112947.tif 000002
【実用新案登録請求の範囲】
【請求項１】
足サポーターの足裏部に滑り止めを付設し、格闘技の試合・練習時に着用することで足裏の滑りを気にすることなく十分なパフォーマンスを発揮出来る事を目的とした格闘技用滑り止め付き足サポーター
【考案の詳細な説明】
【技術分野】
【０００１】  本考案は、滑り止め部材を付設した、格闘技用滑り止め付きサポーターに関する。
【背景技術】
【０００２】  足首の保護を目的とした、つま先、踵部分が開いた形状の、足に着用する格闘技用足サポーターは以前より知られている。
【考案の開示】
【考案の解決しようとする課題】
【０００３】  しかしながら、足首の保護を目的とする格闘技用足サポーターには、足裏の滑り止めの効果が無く、格闘技の試合・練習時に着用しても、相手に対してタックルや打撃攻撃をしかける際に、滑って体勢を崩したり、足元の滑りを気にして踏み込みが出来なかったり、攻撃を失敗してしまう事があった。
【課題を解決する為の手段】
【０００４】  本考案は、伸縮性のある繊維素材からなる足サポーター本体の足裏部分に、滑りにくい素材からなる滑り止め部材を付設することで（図１）、格闘技の試合・練習時に、相手に対してタックルや打撃攻撃で踏み込む際の足裏の滑りを防ぎ、足裏の滑りによる失敗が無くなり、上記の課題を解決するものである。
【考案を実施するための最良の形態】
【０００５】  図１に示すように足サポーター本体の足裏部分に滑り止め効果のある滑り止め部材１を付設する【０００６】  図２に示すように足サポーター本体の足指部分２に足指を１本ずつ通して履く形状にする事で、格闘技の激しい動きにも滑り止め部材１がめくれる事なくパフォーマンスを展開する事が出来る。
【考案の効果】
【０００７】  本考案に係る格闘技用滑り止め付き足サポーターを着用する事で、格闘技の試合・練習時、相手に対してタックル、打撃攻撃で踏み込む際、足元の滑りを気にする事なく、より高いパフォーマンスを展開する事が可能になるという実用性に優れたものである。
【図面の簡単な説明】
【０００８】
【図１】  本考案に係る格闘技用滑り止め付き足サポーターの足裏部の図面である。
【図２】  本考案に係る格闘技用滑り止め付き足サポーターの右足を斜めから見た図である
【符号の説明】
【０００９】  １      滑り止め部材
２      足指部分
【図１】
0003112947.tif 000003
【図２】
0003112947.tif 000004
(57)【要約】      （修正有）【課題】防犯用カラーボール発射と同時に対象人物（犯人）の特徴を確認する。【解決手段】カラーボール発射用の空気銃１０の銃口部に動画撮影機能付デジタルカメラ１を設ける事により確実に対象人物（犯人）の特徴確認が可能である。またカメラ１の起動スイッチは引き金部付近２に設け使用性の向上を図る。なお電源においては専用充電器３により行うものとする。【選択図】図１
0003112943.tif 000002
【実用新案登録請求の範囲】
【請求項１】
動画撮影可能なデジタルカメラを銃口部に設けた防犯用カラーボール発射空気銃。
【考案の詳細な説明】
【技術分野】
【０００１】本考案は、防犯用カラーボール使用時に関する。
【背景技術】
【０００２】従来では事件発生の際、防犯用カラーボールの発射と目視による対象人物（犯人）の特徴確認作業は別々に行われていた。また防犯カメラは設置場所等の問題により確実に撮影できない事例があった。
【考案の開示】
【０００３】  しかし、これでは非日常の緊迫した状況下では両方の作業の精度は極めて低くその結果事件解決に時間を要する原因となっていたと思える。
【課題を解決するための手段】
【０００４】  そこで、一部サバイバルゲーム等で用いられている様なペイント入りボールを発射できる空気銃の銃口部に小型で動画の撮影ができるデジタルカメラを取り付けたカメラ付カラーボール発射銃を考案した（図１）
【考案の効果】
【０００５】  このカメラ付カラーボール発射銃により、カラーボール発射時において銃口は確実に対象人物（犯人）に向く事になるので同時に撮影を行えば特徴確認の作業が可能で事件の早期解決につながる。
【考案を実施するための最良の形態】
【０００６】  本考案に係るカメラ付カラーボール発射銃１０は図１に示すように、対象人物（犯人）を撮影する小型の動画撮影機能付デジタルカメラ１銃口部に備えている。このカメラ１の起動スイッチは引き金部付近２に設けられ、カラーボール発射時においても無理なく使用できる。またカメラ本体については携帯電話等で使用されているような小型のもので全体の構成素材としてはプラスチック製が軽量で扱いやすく望ましい。電源については携帯電話用に準ずる家庭用１００ボルト使用の脱着可能な専用充電器３が最適である。
【図面の簡単な説明】
【０００７】
【図１】  本考案に係るカメラ付カラーボール発射銃を図示したものである。
【符号の説明】
【０００８】  １    動画撮影機能つきデジタルカメラ
２    カメラ１起動スイッチ
３    専用充電器
１０  カメラ付カラーボール発射銃
【図１】
0003112943.tif 000003
(57)【要約】      （修正有）【課題】長時間下肢を動かさずに座っているとまれに起こるエコノミークラス症候群（深部静脈血栓症）を防止する航空機等のシートの提供。【解決手段】脚部シート１ｂに超音波振動を装備し、脚部に取り付けた超音波発信器２ａから伝達される圧電振動子２ｂの超音波振動によって、下肢の大腿の静脈に発生する血栓を破壊してエコノミークラス症候群を防止する。【選択図】図２
0003112945.tif 000002
【実用新案登録請求の範囲】
【請求項１】
座席の脚部に超音波振動を装備したシートであって、脚部に取り付けた超音波発信器から伝達される超音波振動によって下肢の大腿の静脈に発生する血栓を破壊して、エコノミークラス症候群（深部静脈血栓症）を防止するシート。
【考案の詳細な説明】
【技術分野】
【０００１】  本考案は、座席の脚部に超音波振動を装備したシートに関するものである。
［技術背景］【０００２】航空機等のシートに長時間下肢を動かさずに座っていると、大腿の奥にある静脈に血のかたまり（深部静脈血栓）ができることがまれにあり、歩いている間など筋肉を動かした時に、この血栓が血流に乗って肺閉塞などを起こすエコノミークラス症候群（深部静脈血栓症）を引き起こすことがある。
［考案の開示］
［考案が解決しようとする課題］【０００３】  従来、エコノミークラス症候群防止の対策は、血液の循環を悪くしないため、（１）手足を動かす、（２）水分を補給し、アルコールを控える、（３）定期的に体を動かす（立ったり座ったりを繰り返す）等の対策しかなかった。
このエコノミークラス症候群を防止する機能を持つシートをつくることにより前述の問題点を解決しようというものである。
［課題を解決するための手段］【０００４】  本考案は、航空機等のシートの脚部に超音波振動の装備を取り付けて、この超音波振動によって長時間下肢を動かさずに座っているときに起こる大腿の奥に発生する血栓（深部静脈血栓）を破壊し、エコノミークラス症候群を防止して、この問題を解決している。
［考案の効果］【０００５】  上述のように、シートの脚部に取り付けた超音波振動によって、長時間座席に座ったままでも下肢の大腿の奥に発生する深部静脈血栓が破壊されるので、前述した従来のような面倒な対策を講じる必要はない。
［考案の実施するための最良の形態］【０００６】シートの脚部に設けた脚部シートの超音波振動によって、下肢の足部から膝部にかけて発生する前述の血栓を破壊するものである。
そのメカニズムは、脚部シート内の超音波発信器から導線を伝わって圧電振動子に超音波振動が伝達され、液状部を介して下肢の足部から膝部へマッサージ効果を伴って伝わる。
［実施例］【０００７】  以下、添付図面に従って一実施例を説明する。
［図１］は、本考案のシートの全体図である。
［図２］は、本考案の脚部シートである。【０００８】  本考案のシートは、座席部シート１ａと脚部シート１ｂからなる。
座席部シート１ａは、リクライニング機能が可能である。
脚部シート１ｂは、ウレタン部４と液状部３からなる。【０００９】  超音波振動は、ウレタン部４の中にある超音波発信器２ａから導線２ｃより圧電振動子２ｂに伝えられ、液状部３を介して下肢の足から膝へとマッサージ効果と伴に伝達され、大腿の奥の静脈に起こる深部静脈血栓を破壊し、エコノミークラス症候群を防止する。
【図面の簡単な説明】
【００１０】［図１］  シートの全体図
［図２］  脚部シート
【符号の説明】
【００１１】１ａ  座席部シート
１ｂ  脚部シート
２ａ  超音波発信器
２ｂ  圧電振動子
２ｃ  導線
２ｄ  電源コード
３    液状部
４    ウレタン部
Ａ    足（下肢）
Ｂ    膝（下肢）
【図１】
0003112945.tif 000003
【図２】
0003112945.tif 000004
(57)【要約】      （修正有）【課題】自動車展示会場に来場した多数の顧客にたいして、プライスを表示してアピールするプライスボードであり、フロントガラス越しに設置する為の温度上昇を防止する。【解決手段】スタンド３を設けた、ボードベース１に、大小の差込プライス板を設ける。また別にボード本体４に、ジョイントリング５を設け、この前記リングに、日捲りプライス板６を重ねて取付けて設け、さらにボード本体４に吊紐７を設け、そしてこのボード本体４をボードベース１に着脱自在に設け、これら全体を紙製の材質で構成し、形成した特徴を持つ。【選択図】図２
0003112949.tif 000002
【実用新案登録請求の範囲】
【請求項１】
スタンド（３）を設けた、ボードベース（１）に、大小の差込プライス板（２）を設けてなる、紙製プライスボード。
【請求項２】
ボード本体（４）に、ジョイントリング（５）を設け、この前記リングに、日捲りプライス板（６）を重ねて取付けて設け、さらにボード本体（４）に吊紐（７）を設け、そしてこのボード本体（４）をボードベース（１）に着脱自在に設けてなる請求項１に記載の、紙製プライスボード。
【考案の詳細な説明】
【技術分野】
【０００１】  本考案は、自動車展示場等で自動車のフロント窓に設置する、プライスボードに関するものである。
【背景技術】
【０００２】  従来、このようなプライスボードは鉄板やアルミを使用していた。
【考案の開示】
【考案が解決しようとする課題】
【０００３】  プライスボードは自動車のフロントガラス越しに設置する為、日光に長時間当たる率は多く、特に材質が鉄板等で出来ているから、その温度は高温になり、扱いに大変であった。
本考案は、このような問題を改善する為になされたものである。
【課題を解決するための手段】
【０００４】  ダンボール等の紙で構成した、スタンド（３）を設けた、ボードベース（１）に紙製の各種の差込プライス板（２）を設ける。また、ダンボール等の紙製のボード本体（４）に、ジョイントリング（５）を設け、このジョイントリング（５）に、同じく紙製の日捲りプライス板（６）を束に重ねて設ける。さらにボード本体（４）に吊紐（７）を設け、このように形成したボード本体（４）をボードベース（１）に着脱できる形で設ける。
本考案は、以上のような構成よりなる紙製プライスボードである。
【考案の効果】
【０００５】  全体を紙で形成したので、プライスボード本体の重量が軽くなり非常に取扱い易くなった。また太陽光線照射による温度上昇に於いても、紙であるからプライスボード本体に対しての熱影響も少なくなり、同時に取扱い易くなった。さらに製作コスト及び材料コストが大幅に低く出来るので、製品価格として非常に安く提供出来る。
【考案を実施するための最良の形態】
【０００６】  本考案は図１のごとく、紙製のスタンド（３）を設けた、紙製のボードベース（１）に表示部分となる紙製の差込プライス板（２）を着脱自由に設ける。また、図２のごとく、紙製のボード本体（４）にジョイントリング（５）を設けて、これに紙製の日捲りプライス板（６）を束にして重ねて、前記リングを貫通させて設ける。このようにすると、一枚一枚日捲り式に前記プライス板を変えていく事が出来る。さらにこのボード本体（４）に吊紐（７）を設けて、ボード本体（４）を単独でも、展示車の室内バックミラーに吊紐（７）で吊り下げて、フロントガラスに設置し、表示出来るようにする。そしてまたさらに、この日捲りプライス板（６）を取付けた、ボード本体（４）をボードベース（１）に着脱自在に設ける。
本考案は、以上のような構成であり、これを使用するには、【０００７】  図３のごとく、展示車のフロントガラス内側にボード本体（４）を吊紐（７）で、バックミラーに引っかけて、インスパネ上部に設置する。またはボードベース（１）のスタンド（３）部分で、インパネ上部に乗せて設置する。プライス等の表示を変える場合は、日捲りプライス板（６）を利用しているならば、日捲りの要領で捲って、変えれば良い。また、差込プライス板（２）を利用している場合はボードベース（１）の上で着脱して、差し替えれば良い。
【図面の簡単な説明】
【０００８】
【図１】    本考案のプライス差込みタイプの斜視図である。
【図２】    本考案の日捲りタイプの斜視図である。
【図３】    本考案の実施図である。
【符号の説明】
【０００９】        １  ボードベース
２  差込プライス板
３  スタンド
４  ボード本体
５  ジョイントリング
６  日捲りプライス板
７  吊紐
【図１】
0003112949.tif 000003
【図２】
0003112949.tif 000004
【図３】
0003112949.tif 000005
(57)【要約】      （修正有）【課題】従来の噴霧器では出来なかった逆さ状態での使用、また液体の残量によってはできなかった上方向の噴霧を可能にする。【解決手段】上部に液体容器、下部に噴霧部を配設し、吸い上げパイプを使用せず直接キャップ部に吸入口を設けてポンプ室に液体を送り込み、逆さ状態での使用を可能にした。同様に上方向の使用にても常に液体が吸入口に充填されるため使用可能にした。【選択図】図１
0003112942.tif 000002
【実用新案登録請求の範囲】
【請求項１】
トリガ式噴霧器に於いて、吸い上げパイプを使用せず、噴霧する液体の容器を上部に配し、接続キャップに直接ロト状に吸入口を設け、噴射導出管と先部の噴射口を最下部に設け、液体の容器、噴射部、トリガの形状も最初から液体の容器を上部に、噴霧部を下部に想定して、設置、作動しやすい様に機能性を持たせたものであり、常に液体をポンプ室に送り込める為、容器内の液体を色んな方向へ噴霧可能にするとともに、最後まで使用可能にするところを特徴とする噴霧器
【考案の詳細な説明】
【技術分野】
【０００１】  本考案は、噴霧したい液体を色んな角度で最後まで使用可能にすべく、上部に液体容器を、下部に噴霧部を配設した、噴霧器に関するものである。
【背景技術】
【０００２】  従来、トリガ式噴霧器では、吸い上げパイプの先端を容器の底部の一定位置に設置し、容器に装填していた洗剤、抗菌剤、消毒剤、消臭剤等の液体を吸い上げパイプでポンプ室に吸入し導出管先部の噴射口から噴霧していた。
【考案の開示】
【考案が解決しようとする課題】
【０００３】  従来の吸い上げパイプによる噴霧器に於いては、噴霧器を逆さにすると、液体容器の底部に設置した吸い上げパイプの先端が容器内の液体に浸漬しなくなり、噴霧できなくなる。また、容器内の液体の量が減少した場合には、上方向に噴霧しようとしても吸い上げパイプの先端が容器内の液体に浸漬せず、噴霧できないという問題があった。従って容器内の液体を常に吸入口からポンプ室に送り込め、可能な限り液体を色んな方向に噴霧できることにより、前述の問題点を解決しようとするものである。
【課題を解決するための手段】
【０００４】  本考案は、上記の問題を解決するために吸い上げパイプを使用せず、最初から逆さにて使用することを目的にし、噴霧する液体入りの容器を上部に配し、直接容器内の噴霧液をキャップ部のロト状の吸入口から直接ポンプ室に送り込み、下部に配設した噴射口から噴霧するようにした噴霧器であって、常時、逆さ状態での使用が可能である。さらに、容器内の噴霧液が常に吸入口にあるため、上方向に噴射口を向けても液体の噴射が可能であり、問題点を解決する噴霧器を提供できるものである。
【考案の効果】
【００５】  上述のように、本考案は従来の噴霧器で使用できなかった逆さ状態での噴射が可能なため、トイレ用洗剤の便器の縁の裏側への噴霧、消臭剤のソファーやベッドの下の隙間等への噴霧が可能になり、さらに上方向への噴射が可能なためレンジフードへの洗剤の噴霧やカーテンなどへの消臭剤の上方向への噴霧等が限りなく可能になる。また噴射口が握り手より下部に位置するため、液だれや、噴射した噴霧液が手に掛かりにくいものである。さらに、ロト状の吸入口から容器内の液体は最後まで使用されるため、経済性がある。また上部に配設した容器は従来のように噴射部が上部にないため、形状にインテリア性を持たせる事が可能となる。
【考案を実施するための最良の形態】
【０００６】  本考案は常時、逆さ状態での使用を目的にしており、上部に液体の容器を配し容器との接続キャップにロト状の吸入口を設け、ポンプによって最下部に配設した噴射導出管先部の噴射口から噴霧するようにした噴霧器であって、上部の容器と下部の噴射部とにバランスを持たせ噴霧器を置く際に倒れないよう安定性を考慮した形状が必要となる。又、噴霧器を常時逆さ状態にて使用するため、噴射口部から液漏れのないように気密性を要するものである。公知の現在の噴霧器は性能も良く、キャップ部の空気置換路からも液漏れのない構造になっており、さらに噴射口に開閉機能もあり、一部の噴霧器を除き逆さ状態での使用は可能である。
【実施例】
【０００７】  以下、添付図面に従って一実施例を説明する。図１の１は噴霧器本体、上部に噴霧する液体の容器２を、下部に噴霧部３を配設した噴霧器であり、キャップ４にロト状の吸入口５を設け、トリガ７によって噴霧液はポンプ室８から噴射導出管９を通り噴射口７から噴射される。【０００８】  本考案は図１で説明したように最初から逆さ状態での使用が常に可能となり、また、液体の残量に関係なく上方向への噴霧も可能なため従来の問題点を解決している。
なお、図２で示した噴霧部の構造は、それ以外の構造のトリガ式噴霧器でも同様に適用する。
【図面の簡単な説明】
【０００９】
【図１】本考案の逆さ噴霧器の実施例を示す正面図である。
【図２】噴霧部の切断面図である。
【符号の説明】
【００１０】１    噴霧器本体
２    容器
３    噴霧部
４    キャップ
５    吸入口
６    トリガ
７    噴射口
８    ポンプ室
９    噴射導出管
１０  底部台
【図１】
0003112942.tif 000003
【図２】
0003112942.tif 000004
(57)【要約】      （修正有）【課題】リュックには収納できず持って歩くには不具合な荷物を、数本のベルトとビス及びナット類で荷物の形状・大きさに合わせて背負い具として組み立てたり、２人用の運搬具として組み立てたりするなどのれぞれの用途に合わせた運搬具を組み立てることができるばかりでなく、単体で荷物固定用のベルトとして使用できるようにする。【解決手段】長さ調節とビスの差し込みを兼ねた穴をあけ、かつ穴への負荷を抑えるためにハトメ類で補強した軽くて強い化学繊維のベルト１−Ａ、１−Ｂ，２−Ａ，２−Ｂを組み合わせ、ベルトとベルトとを工具なしで素早く結合できるビス及びナット類３でいろいろな用途に合った運搬具を組み立てて荷物を運ぶことができる。【選択図】図５
0003112940.tif 000002
【実用新案登録請求の範囲】
【請求項１】
リュックに入らず持って歩くには不具合な荷物を、長さ調節とビス差し込みを兼ねた穴をあけ、かつその穴をハトメ類で補強した化学繊維のベルトと締め付け固定用ビス及びナット類で荷物の大きさ、形状に合わせて工具なしで運搬具を作る携帯用組立式汎用運搬ベルトセット。
【考案の詳細な説明】
【技術分野】
【０００１】  本考案は長さ調節とビスの差し込み兼ねた穴をハトメ類で補強した化学繊維のベルトと締め付け固定用ビス及びナット類の組み合わせて工具なしで運搬具を作る携帯用組立式汎用運搬ベルトセットに関するものである。
【背景技術】
【０００２】  これまでの携帯用背負い具としてはベルトリュックがある。【０００３】
【特許文献１】  実開平６−０２４５２９
【考案の開示】
【考案が解決しようとする課題】
【０００４】  これまでのベルトリュックはリングにベルトがそれぞれ縫い付けられているために、背負い具としての機能しかなく、様々な状況に対応した利用ができなかった。【０００５】  日常携帯するには、軽量でかつ丸めたりたたんだりすることが楽にでき、組み立てや分解も簡単にできなければならない。【０００６】  同様に、非常時などにバッグなどに入らない荷物を１人ないし複数で運ぶことができたり、他の運搬具に荷物を固定するしたりするなど汎用性がなければならない。
【課題を解決するための手段】
【０００７】  本考案は長さ調節とビスの差し込みを兼ねた穴をハトメ類で補強した化学繊維のベルトと締め付け固定用ビス及びナット類で荷物の形状・大きさ・運搬方法によって組み合わせて運搬具を作ることにより問題を解決。
【考案の効果】
【０００８】  本考案は手で持って運ぶには不具合な荷物をベルトの組み合わせで背負うことができるばかりだなく、ベルトの組み合わせ方を変えて２人用運搬具としたり、他の運搬具の荷物固定用ベルトとしたり、高所からの荷物の荷揚げ荷下ろし用ベルトとしても使用することができる。【０００９】  ベルトはそれぞれが単体なので丸めたりたたんだりすることができ、ビス及びナット類は工具なしで締め付けたりはずしたりすることができるので、コンパクトに収納できで携帯するのが容易である。【００１０】  ベルトの色分けで災害時のボランティア活動の作業分けができる。
【考案の実施するための最良の形態】
【００１１】  荷物を吊り下げるベルト、荷物を上方に引き上げ固定するベルト、落下防止ベルト、それらベルトの間隔を均等に保つベルトをビス及びナット類で締め付け固定することにより、荷物の重心を肩口に近い位置に引き寄せることができるので荷物を安定して背負うことができる。
【００１２】  ベルトの組み合わせ方を変えるだけで、肩掛けの２人用の運搬具としてやロープの代用としても使用できる。
【実施例】
【００１３】  以下、添付図面に従って一実例説明する。吊り下げ用ベルト１−Ａ（以下１−Ａ）、落下防止用ベルト１−Ｂ（以下１−Ｂ）、引き上げ用ベルト２−Ａ（以下２−Ａ）、間隔保持用ベルト２−Ｂ（以下２−Ｂ）は長さの調節とビスの差し込みを兼ねた穴をハトメ類で補強した化学繊維のベルトで１−Ａと１−Ｂ及び２−Ａと２−Ｂとはそれぞれ互換できる。３はビス及びナット類。【００１４】  １ーＡ２本で荷物を吊り下げるように縦方向にくるみ、２−Ｂ１本と背負うのに都合のよい幅で３のビス及びナット類で締め付け固定する（組立Ａ−１）。次に荷物の下側で２−Ａ２本それぞれと１−Ａ、２−Ｂ１本とで背負うのに都合のよい幅で３のビス及びナット類で締め付け固定する（組立Ａ−２）。１−Ｂで荷物を横方向でくるみ、組立Ａ−２で背負うのに都合のよい幅とした幅で１−Ａと３のビス及びナット類で締め付け固定する（組立Ａ−３）。１−Ａと２−Ａをそれぞれ背負うのに都合のよい位置で３のビス及びナット類で締め付  け固定する（組立Ａ−完成）。【００１５】  １−Ａ２本で荷物を縦方向にくるみ、それぞれの両端と２−Ａ２本のそれぞれを肩に掛けるのに都合のよい長さの位置で３のビス及びナット類で締め付け固定する。１−Ｂで荷物を横方向にくるみ、１−Ａと交差するところで３のビス及びナット類で締め付け固定する。荷物を手で上げ下げしやすい位置で２−Ｂ２本をそれぞれ１−Ａと交差する位置で３のビス及びナット類で締め付け固定する（組立Ｂ）。
【図面の簡単な説明】
【００１６】
【図１】  部品            図
【図２】  組立  Ａ−１    図
【図３】  組立  Ａ−２    図
【図４】  組立  Ａ−３    図
【図５】  組立  Ａ−完成  図
【図６】  組立  Ｂ        図
【図７】  使用例１        図
【図８】  使用例２        図
【符号の説明】
【００１７】  １−Ａ    吊り下げ用ベルト
１−Ｂ    落下防止用ベルト
２−Ａ    引き上げ用ベルト
２−Ｂ    間隔保持用ベルト
３        ビス及びナット類
４        想定荷物
【図１】
0003112940.tif 000003
【図２】
0003112940.tif 000004
【図３】
0003112940.tif 000005
【図４】
0003112940.tif 000006
【図５】
0003112940.tif 000007
【図６】
0003112940.tif 000008
【図７】
0003112940.tif 000009
【図８】
0003112940.tif 000010